(57)【要約】【課題】食器洗い乾燥機とキッチンカウンターの隙間を確実に覆い、蒸気や高温多湿な排気が、キッチンカウンターの下面側に上昇し、キッチンカウンターの下面で結露したり、食器洗い乾燥機の天面とキッチンカウンターの下面との隙間に入り込んで結露したりすることを抑制、防止するとともに、美観を向上させる。【解決手段】本体ケース１とキッチンカウンター１０の間に、設置後に高さを調節することが可能な化粧カバー３を配設して、本体ケース１とキッチンカウンター１０の隙間をカバーする。  化粧カバー３として、垂直プレート部１１と、垂直プレート部１１の上端側から本体ケース１の前方側に向かって曲折させた庇部１２とを一体に備えた構造のものを用いる。  また、化粧カバー保持部の係合機構部の凹凸部と、化粧カバーの係合部の凹凸部を係合させることにより、化粧カバーが、上下方向の段階的な任意の位置に保持されるようにする。【選択図】図２
2006280552.tif 000002
【特許請求の範囲】
【請求項１】
本体ケースと洗浄槽とを備え、キッチンカウンターの下側に配置して使用される食器洗い乾燥機であって、
前記本体ケースと前記キッチンカウンターの隙間をカバーするための化粧カバーであって、食器洗い乾燥機をキッチンカウンターの下側に設置した後に、高さを調節することができるように構成された化粧カバーを備えていること
を特徴とする食器洗い乾燥機。
【請求項２】
前記化粧カバーが、略垂直に配設される垂直プレート部と、前記垂直プレート部の上端側から本体ケースの前方側に向かって曲折させた庇部とを一体に備えており、前記庇部により前記キッチンカウンターの下面を保護できるように構成されていることを特徴とする請求項１記載の食器洗い乾燥機。
【請求項３】
前記化粧カバーを上下方向の任意の位置に保持することができるように構成された係合機構部を有する化粧カバー保持部を備えているとともに、
前記化粧カバーが、前記化粧カバー保持部と係合する係合部を備えており、
前記化粧カバー保持部の係合機構部が、前記化粧カバーの係合部と係合することにより、前記化粧カバーを所定の高さに保持することができるように構成されていること
を特徴とする請求項１または２記載の食器洗い乾燥機。
【請求項４】
前記化粧カバー保持部の係合機構部が、前記化粧カバーの係合部との接合面に上下方向に所定のピッチで凹凸が繰り返して形成された凹凸部を配設することにより形成されており、
前記化粧カバーの係合部の、前記化粧カバー保持部の係合機構部との接合面にも、前記化粧カバー保持部の係合機構部の凹凸部と対応し、上下方向に所定のピッチで凹凸が繰り返して形成された凹凸部が配設されており、
前記化粧カバー保持部の係合機構部の凹凸部と、前記化粧カバーの係合部の凹凸部を係合させることにより、化粧カバーが、上下方向の段階的な任意の位置に保持されるように構成されていること
を特徴とする請求項３記載の食器洗い乾燥機。
【請求項５】
前記化粧カバーの庇部には、設置前に前後方向の寸法調整を容易にするための予備加工が施されていることを特徴とする請求項２〜４のいずれかに記載の食器洗い乾燥機。
【請求項６】
前記化粧カバーの庇部の寸法調整を容易にするための予備加工が、庇部を本体ケースの前方側に折り曲げた折り曲げ部に平行な方向への、複数本の互いに平行な溝の形成加工であることを特徴とする請求項５記載の食器洗い乾燥機。
【請求項７】
前記洗浄槽が、前後にスライド可能で、手前側に引き出した状態で食器の出し入れが行われるような態様で本体ケース内に収納されていることを特徴とする請求項１〜６のいずれかに記載の食器洗い乾燥機。
【発明の詳細な説明】
【技術分野】
【０００１】
本願発明は、食器洗い乾燥機に関し、詳しくは、キッチンカウンターの下側に設置して使用される食器洗い乾燥機に関する。
【背景技術】
【０００２】
食器洗い乾燥機の中には、図９に示すように、キッチンカウンター５１の下側に設置して使用されるように構成された食器洗い乾燥機５２がある（特許文献１参照）。
【０００３】
このタイプの食器洗い乾燥機５２は、キッチンカウンター５１上などに設置する必要がないため、調理に必要なキッチンカウンター５１上のスペースが食器洗い乾燥機５２に占められてしまうようなことがなく、また、食器の出し入れが容易であるという特徴を有している。
【０００４】
しかしながら、キッチンカウンター５１の下側に設置して使用される食器洗い乾燥機５２の場合、洗浄工程やすすぎ工程、さらにはその後の乾燥工程などにおいて排出される高温多湿な排気中の水蒸気が、キッチンカウンター５１の下面で結露したり、食器洗い乾燥機５２の天面とキッチンカウンター５１の下面との隙間に入り込んで結露したりする場合があり、食器洗い乾燥機５２自体やキッチンカウンター５１、キッチンカウンター５１の内部に配設された設備などに好ましくない影響を与える場合がある。
【０００５】
また、キッチンカウンター５１の下側に設置して使用される食器洗い乾燥機として、洗浄工程やすすぎ工程、さらにはその後の乾燥工程などにおいて排出される高温多湿な排気の好ましくない影響を排除するための構成を備えた食器洗い乾燥機６２（図１０）が提案されている。
【０００６】
この食器洗い乾燥機６２は、図１０に示すように、本体ケース５３の上面に配設された、Ｌ字状の形状を有し、本体ケース５３の前面から排気が行われるように構成された排気口５４に、前方側に段階的に突出距離を調節することが可能な補助排気口部材５５を挿入し、補助排気口部材５５の突出距離を調節して、高温多湿な排気がキッチンカウンター５１よりも前方の位置に排出されるようにして、キッチンカウンター５１の下面５１ａや、本体ケース５３とキッチンカウンター５１の下面５１ａの隙間に結露などが生じないようにしている（特許文献２参照）。
【０００７】
しかしながら、上記従来の食器洗い乾燥機６２の場合、設置されるべきキッチンの、食器洗い乾燥機６２の設置スペース（寸法）は、それぞれ異なるため、食器洗い乾燥機６２をキッチンカウンター５１の下側に設置した後、食器洗い乾燥機６２の天面とキッチンカウンター５１の間に、隙間が生じてしまう場合が多く、美観が損なわれるという問題点がある。特に視点が低い場合、隙間がよく見えて、見栄えが悪くなることが多い。
【０００８】
また、補助排気口部材５５が食器洗い乾燥機６２の前面側に突出していることから、使用者に接触して、使用感を損なったり、場合によっては、補助排気口部材５５が後退してしまい、所望の位置から排気させることができなくなったりするという問題点がある。
【０００９】
また、補助排気口部材５５を引き出して、その突出距離を適切に調節したとしても、風の向きなどによっては、食器洗い乾燥機６２の天面とキッチンカウンター５１の隙間に多湿の排気が入り込む場合があり、信頼性が必ずしも十分ではないという問題点がある。
【００１０】
また、食器洗い乾燥機とキッチンカウンターの隙間を覆うためのカバーを設置することも考えられるが、上述のように、食器洗い乾燥機が設置されるべきキッチンの、食器洗い乾燥機の設置スペース（寸法）は、それぞれ異なるため、食器洗い乾燥機の天面とキッチンカウンターの隙間を確実に覆うためには、食器洗い乾燥機の設置現場でカバーを所定の寸法に加工することが必要で、多大な手間がかかるばかりでなく、確実に隙間を覆うことが困難であるという問題点がある。
【特許文献１】特開２００４−８４６５号公報
【特許文献２】特開平１−３７９２１号公報
【発明の開示】
【発明が解決しようとする課題】
【００１１】
本願発明は、上記課題を解決するものであり、キッチンカウンターの下側に配設される食器洗い乾燥機において、複雑な加工工程を必要とせずに、食器洗い乾燥機とキッチンカウンターの隙間を容易かつ確実に覆うことが可能で、蒸気や、高温多湿な排気が、キッチンカウンターの下面側に上昇し、キッチンカウンターの下面で結露したり、食器洗い乾燥機の天面とキッチンカウンターの下面との隙間に入り込んでキッチンカウンターなどが損傷することを抑制、防止することが可能であるとともに、美観にも優れた食器洗い乾燥機を提供することを目的とする。
【課題を解決するための手段】
【００１２】
上記課題を解決するために、本願発明（請求項１）の食器洗い乾燥機は、
本体ケースと洗浄槽とを備え、キッチンカウンターの下側に配置して使用される食器洗い乾燥機であって、
前記本体ケースと前記キッチンカウンターの隙間をカバーするための化粧カバーであって、食器洗い乾燥機をキッチンカウンターの下側に設置した後に、高さを調節することができるように構成された化粧カバーを備えていること
を特徴としている。
【００１３】
また、請求項２の食器洗い乾燥機は、請求項１記載の発明の構成において、前記化粧カバーが、略垂直に配設される垂直プレート部と、前記垂直プレート部の上端側から本体ケースの前方側に向かって曲折させた庇部とを一体に備えており、前記庇部により前記キッチンカウンターの下面を保護できるように構成されていることを特徴としている。
【００１４】
また、請求項３の食器洗い乾燥機は、請求項１または２記載の発明の構成において、
前記化粧カバーを上下方向の任意の位置に保持することができるように構成された係合機構部を有する化粧カバー保持部を備えているとともに、
前記化粧カバーが、前記化粧カバー保持部と係合する係合部を備えており、
前記化粧カバー保持部の係合機構部が、前記化粧カバーの係合部と係合することにより、前記化粧カバーを所定の高さに保持することができるように構成されていること
を特徴としている。
【００１５】
また、請求項４の食器洗い乾燥機は、請求項３記載の発明の構成において、
前記化粧カバー保持部の係合機構部が、前記化粧カバーの係合部との接合面に上下方向に所定のピッチで凹凸が繰り返して形成された凹凸部を配設することにより形成されており、
前記化粧カバーの係合部の、前記化粧カバー保持部の係合機構部との接合面にも、前記化粧カバー保持部の係合機構部の凹凸部と対応し、上下方向に所定のピッチで凹凸が繰り返して形成された凹凸部が配設されており、
前記化粧カバー保持部の係合機構部の凹凸部と、前記化粧カバーの係合部の凹凸部を係合させることにより、化粧カバーが、上下方向の段階的な任意の位置に保持されるように構成されていること
を特徴としている。
【００１６】
また、請求項５の食器洗い乾燥機は、請求項２〜４のいずれかに記載の発明の構成において、前記化粧カバーの庇部には、設置前に前後方向の寸法調整を容易にするための予備加工が施されていることを特徴としている。
【００１７】
また、請求項６の食器洗い乾燥機は、請求項５記載の発明の構成において、前記化粧カバーの庇部の寸法調整を容易にするための予備加工が、庇部を本体ケースの前方側に折り曲げた折り曲げ部に平行な方向への、複数本の互いに平行な溝の形成加工であることを特徴としている。
【００１８】
また、請求項７の食器洗い乾燥機は、請求項１〜６のいずれかに記載の発明の構成において、前記洗浄槽が、前後にスライド可能で、手前側に引き出した状態で食器の出し入れが行われるような態様で本体ケース内に収納されていることを特徴としている。
【発明の効果】
【００１９】
本願発明（請求項１）の食器洗い乾燥機は、本体ケースと洗浄槽とを備え、キッチンカウンターの下側に設置して使用される食器洗い乾燥機において、本体ケースと前記キッチンカウンターの隙間をカバーするための化粧カバーとして、食器洗い乾燥機をキッチンカウンターの下側に設置した後に、高さを調節することができるように構成された化粧カバーを備えているので、食器洗い乾燥機とキッチンカウンターの隙間を確実にしかも容易に覆うことが可能になる。その結果、食器の洗浄、すすぎ、乾燥などの工程で生じる蒸気や高温多湿な排気が、キッチンカウンターの下面に達して結露したり、食器洗い乾燥機の天面とキッチンカウンターの下面との隙間に入り込んで内部で結露したりすることによるキッチンカウンターや内部設備の損傷などを抑制、防止することが可能になるとともに、食器洗い乾燥機とキッチンカウンターの隙間を見えなくして、美観を向上させることが可能になる。
【００２０】
また、請求項２の食器洗い乾燥機のように、請求項１記載の発明の構成において、化粧カバーとして、略垂直に配設される垂直プレート部と、垂直プレート部の上端側から本体ケースの前方側に向かって曲折させた庇部とを一体に備えた構成を有する化粧カバーを用いることにより、キッチンカウンターの下面を庇部によって確実に保護することが可能になり、本願発明を実効あらしめることができる。
【００２１】
また、請求項３の食器洗い乾燥機のように、請求項１または２記載の発明の構成において、化粧カバーを上下方向の任意の位置に保持することができるように構成された係合機構部を有する化粧カバー保持部を備えるとともに、化粧カバーが、化粧カバー保持部と係合する係合部を備え、かつ、化粧カバー保持部の係合機構部が、化粧カバーの係合部と係合することにより、化粧カバーが所定の高さに保持されるように構成した場合、化粧カバーをより確実にしかも容易に所定の高さに保持することが可能になり、本願発明をより実効あらしめることができる。
【００２２】
なお、化粧カバーを段階的に任意の高さに保持できるようにするための係合機構部としては、例えば、クリップなどにより化粧カバーを化粧カバー保持部に圧接させて所定の位置に保持する機構や、ピンとピン穴により化粧カバーを段階的に任意の高さに保持する機構などが例示されるが、その具体的な方法に特別の制約はない。
【００２３】
また、請求項４の食器洗い乾燥機のように、請求項３記載の発明の構成において、化粧カバー保持部の係合機構部を、化粧カバーの係合部との接合面に上下方向に所定のピッチで凹凸を繰り返して形成した凹凸部が配設された構成とし、化粧カバーの係合部の、化粧カバー保持部の係合機構部と接合面にも、化粧カバー保持部の係合機構部の凹凸部と対応する、上下方向に所定のピッチで凹凸を繰り返して形成した凹凸部が配設された構成とし、化粧カバー保持部の係合機構部の凹凸部と、化粧カバーの係合部の凹凸部を係合させることにより、化粧カバーを上下方向の段階的な任意の位置に保持するようにした場合、化粧カバーの上下方向の位置を、凹凸の配設ピッチに対応する段階ごとに調節して、化粧カバーを上下方向の任意の位置に保持させることが可能になる。
したがって、確実にしかも容易に化粧カバーを所定の高さに保持することが可能になり、本願発明をさらに実効あらしめることができる。
【００２４】
また、請求項５の食器洗い乾燥機のように、請求項２〜４のいずれかに記載の発明の構成において、化粧カバーの庇部に、設置前に前後方向の寸法調整を容易にするための予備加工を施しておくことにより、庇部の前後方向の寸法（すなわち、庇部の本体ケースの前方側への突出距離）をキッチンカウンターの寸法に合わせて容易かつ確実に調整することが可能になり、本願発明をさらに実効あらしめることができる。
なお、予備加工としては、庇部の一部を容易に切り取ることができるようにするための溝や凹凸の形成、連続的な穴開け加工などが例示されるが、具体的な加工態様に特別の制約はない。
【００２５】
また、請求項６の食器洗い乾燥機のように、請求項５記載の発明の構成において、化粧カバーの庇部の寸法調整を容易にするための予備加工として、庇部を本体ケースの前方側に折り曲げた折り曲げ部に平行な方向に、複数本の互いに平行な溝を形成するようにした場合、庇部の前後方向の寸法をキッチンカウンターの寸法に合わせて容易かつ確実に調整することが可能になり、本願発明をさらに実効あらしめることができる。
【００２６】
また、請求項７の食器洗い乾燥機のように、請求項１〜６のいずれかに記載の食器洗い乾燥機において、洗浄槽が、前後にスライド可能で、手前側に引き出した状態で食器の出し入れが行われるような態様で本体ケース内に収納されているような場合、洗浄、すすぎ、乾燥が終了した後に、洗浄槽を手前にスライドさせたときに蒸気が上がって、キッチンカウンターの下面側に結露を生じやすいが、そのような食器洗い乾燥機に本願発明を適用することにより、食器の洗浄、すすぎ、乾燥などの工程で生じる蒸気や高温多湿な排気が、キッチンカウンターの下面に達して結露したり、食器洗い乾燥機の天面とキッチンカウンターの下面との隙間に入り込んで内部で結露したりすることによるキッチンカウンターや内部設備の損傷などを抑制、防止することが可能になり、特に有意義である。
【発明を実施するための最良の形態】
【００２７】
以下に本願発明の実施例を示して、本願発明の特徴とするところをさらに詳しく説明する。
【実施例１】
【００２８】
図１は本願発明の一実施例にかかる食器洗い乾燥機の外観構成を示す斜視図、図２は洗浄槽を手前側にスライドさせている状態を示す図である。
【００２９】
この食器洗い乾燥機２０は、キッチンカウンター（図２）１０の下側に設置して使用される食器洗い乾燥機であり、図１，図２に示すように、本体ケース１と洗浄槽２（図２）とを備えているとともに、本体ケース１とキッチンカウンター１０の間に、両者の隙間Ｇ（図４(ａ)）をカバーするための樹脂製の化粧カバー３を備えている。
【００３０】
また、本体ケース１の前面は引き出し式のドア４となっており、ドア４には洗浄、すすぎ、乾燥の工程で発生する蒸気などを排出するための排気口５，洗浄時間の設定などを行うための操作部６，ドア４をスライドさせるための把手７などが配設されている。
また、この実施例の食器洗い乾燥機２０は、図２に示すように、本体ケース１の前面のドア４の把手７を持って手前側にスライドさせることにより、洗浄槽２を引き出した状態で食器の出し入れが行われるように構成されている。
【００３１】
また、化粧カバー３は、図３に示すように、略垂直に配設される垂直プレート部１１と、垂直プレート部１１の上端側から本体ケース１の前方側に向かって曲折させた庇部１２とを一体に備えている。
【００３２】
なお、この実施例では、化粧カバー３を構成する庇部１２と垂直プレート部１１の境目近傍などの弾力性により、庇部１２がより確実にキッチンカウンター１０の下面１０ａに密着するように、垂直プレート部１１と庇部１２のなす角度θ（図４(ａ)）が９０゜よりも大きくなるように構成されている。
【００３３】
そして、化粧カバー３は、図４(ａ)，(ｂ)に示すように、食器洗い乾燥機２０をキッチンカウンター１０の下側の所定の位置に設置した後に、高さを調節すること、すなわち、庇部１２が、キッチンカウンター１０の下面１０ａに当接する位置（図４(ｂ)参照）まで上昇させることができるように構成されている。
【００３４】
なお、化粧カバー３は、図４(ａ)，(ｂ)に示すように、食器洗い乾燥機２０をキッチンカウンター１０の下側の所定の位置に設置した後に、高さを調節することができるようにするために、化粧カバー３には下記の化粧カバー保持部１４（図３，図５(ａ)，(ｂ)、図６(ａ)，(ｂ)）と係合して、段階的に化粧カバー３を上下方向の任意の位置に保持することができるようにするための係合部１５が配設されている。
【００３５】
具体的には、下記の化粧カバー保持部１４（図３，図５(ａ)，(ｂ)、図６(ａ)，(ｂ)）と係合して、段階的に化粧カバー３を上下方向の任意の位置に保持することができるようにするための係合部１５として、化粧カバー保持部１４の係合機構部１３との接合面１７ａに、凹凸部１６を備えた突起片１７が左右対称となるように、化粧カバー３を構成する垂直プレート部１１（の下部の２箇所）に配設されている（図５(ａ)，(ｂ)、図６(ａ)，(ｂ)参照）。
【００３６】
なお、この実施例の食器洗い乾燥機２０において、化粧カバー３には、凹凸部が形成されていない突起片２７（図５(ａ)）も配設されており、この凹凸部が形成されていない突起片２７も、凹凸部１６を備えた突起片１７とは異なり、上下位置を所定の位置に保持する機能こそ果たさないものの、化粧カバー３と化粧カバー保持部１４とを互いに係合させる機能を果たす。
【００３７】
また、この実施例の食器洗い乾燥機２０は、上述のように、化粧カバー３を段階的に、上下方向の任意の位置に保持することができるようにするための係合機構部１３を有する化粧カバー保持部１４を備えている。
【００３８】
化粧カバー保持部１４の係合機構部１３は、図５(ｂ)、図６(ａ)，(ｂ)に示すように、化粧カバー保持部１４に形成された、化粧カバーの係合部１５（突起片１７）が挿入される凹部１８の内周面のうちの一つの面（すなわち、化粧カバー３の係合部１５との接合面）１８ａに上下方向に凹凸が繰り返して形成された凹凸部１９を配設することにより形成されている。なお、化粧カバー保持部１４の係合機構部１３も、化粧カバー保持部１４の両側の２箇所に左右対称となるように形成されている。
【００３９】
なお、この実施例の食器洗い乾燥機２０においては、化粧カバー保持部１４には、凹凸部が形成されていない凹部２８（図５(ａ)）も配設されており、この凹凸部が形成されていない凹部２８も、上下位置を所定の位置に保持する機能こそ果たさないものの、化粧カバー３と化粧カバー保持部１４とを互いに係合させる機能を果たす。
【００４０】
そして、化粧カバー保持部１４の係合機構部１３の凹凸部１９と、化粧カバー３の係合部１５の凹凸部１６を係合させることにより、化粧カバー３の上下方向の位置を、凹凸の配設ピッチに対応する段階ごとに調節して、上下方向の任意の位置に化粧カバー３を保持することが可能になる。
【００４１】
また、化粧カバー３の庇部１２には、食器洗い乾燥機２０の設置前に庇部１２の前後方向の寸法（すなわち、庇部１２の本体ケース１の前方側への突出距離）の調整を容易にするための予備加工が施されている。
なお、この実施例では、予備加工として、庇部１２を本体ケース１の前方側に折り曲げた折り曲げ部３ａに平行な方向に、複数本の互いに平行な溝１２ａを形成する溝形成加工が施されている（図７）。
【００４２】
上述のように、予備加工（溝１２ａを形成する溝形成加工）を施しておくことにより、庇部１２の前後方向の寸法をキッチンカウンター１０の寸法に合わせて容易かつ確実に調整することが可能になる。
例えば、図７(ａ)，(ｂ)，(ｃ)に示すように、化粧カバー３の庇部１２の不要部分（主としてキッチンカウンターの下面からはみ出す部分）Ｒ（図７(ａ)，(ｂ)）を、所定の溝１２ａに沿ってナイフ２１（図７(ａ)）などを用いて切り取ることにより、容易かつ確実に、庇部１２の幅をキッチンカウンター１０からはみ出すことなく、かつ、キッチンカウンターを保護することが可能な適切な幅とすることが可能になる。
【００４３】
上述のように構成された食器洗い乾燥機２０を設置するにあたっては、まず、設置場所のキッチンカウンター１０の寸法と食器洗い乾燥機２０および化粧カバー３の庇部１２の幅の関係を確認し、図７に示すように、庇部１２の不要部分Ｒ（図７(ａ)，(ｂ)）を切り取って、庇部１２の幅を所定の幅に調節する。
【００４４】
それから、庇部１２の幅を調節した化粧カバー３の突起片１７を、化粧カバー保持部１４の凹部１８に、化粧カバー３の突起片２７を、化粧カバー保持部１４の凹部２８に挿入し、化粧カバー３を本体ケース１に取り付け、化粧カバー保持部１４の係合機構部１３の凹凸部１９と、化粧カバー３の係合部１５の凹凸部１６を係合させることにより、化粧カバー３を保持させる。
このとき、食器洗い乾燥機２０を、キッチンカウンター１０の下側の所定の位置に設置する際の作業の妨げにならないように、庇部１２の高さはキッチンカウンター１０の下面に届かない高さとしておく。
それから、食器洗い乾燥機２０をキッチンカウンター１０の下側の所定の位置に設置する。
【００４５】
その後、化粧カバー３の庇部１２がキッチンカウンター１０の下面１０ａに当接するまで、化粧カバー３を上昇させる。
このとき、図８(ａ)，(ｂ)に示すように、化粧カバー３の庇部１２を手で上方に引き上げることにより、化粧カバー保持部１４の係合機構部１３の凹凸部１９と、化粧カバー３の係合部１５の凹凸部１６の係合位置を一段ずつ変化させてゆくことにより、化粧カバー３の上下方向の位置を、凹凸部１６，１９の配設ピッチに対応する段階ごとに調節することができる。
【００４６】
その結果、化粧カバー３の庇部１２がキッチンカウンター１０の下面１０ａに確実に当接するまで上昇させることが可能になり、食器洗い乾燥機を、キッチンカウンター１０の下面１０ａが化粧カバー３の庇部１２により保護され、かつ、本体ケース１とキッチンカウンター１０の隙間Ｇが化粧カバー３によりカバーされた状態となるように据え付けることが可能になる。
【００４７】
上述のように、この実施例の食器洗い乾燥機２０においては、食器洗い乾燥機２０とキッチンカウンター１０の隙間を、上下位置を任意に調節することが可能な化粧カバー３により確実に覆い、かつ、庇部１２をキッチンカウンター１０の下面１０ａに密着させることが可能になるため、蒸気や、高温多湿な排気が、キッチンカウンターの下面近傍に上昇し、キッチンカウンター１０の下面１０ａで結露したり、食器洗い乾燥機２０の天面とキッチンカウンター１０の下面１０ａの隙間に入り込んだりすることを防止して、食器洗い乾燥機２０自体やキッチンカウンター１０、あるいはキッチンカウンター１０の内部の設備などが痛みやすくなることを抑制、防止することが可能になるとともに、食器洗い乾燥機２０とキッチンカウンター１０の隙間を見えなくして、美観を向上させることが可能になる。
【００４８】
なお、上記実施例の食器洗い乾燥機では、化粧カバー保持部の係合機構により化粧カバーを所定の位置に保持するようにしているが、例えば、ねじ止めなどの方法により化粧カバーを固定することにより、化粧カバーの固定信頼性をさらに向上させるように構成することも可能である。
【００４９】
本願発明はさらにその他の点においても上記実施例に限定されるものではなく、本体ケースや洗浄槽の具体的な構成や構造、化粧カバーの具体的な構成や構造化粧カバーの各部の寸法、化粧カバーを上下方向の任意の位置に保持することができるようにするための係合機構部の具体的な構成、化粧カバーの庇部に施す、設置前に前後方向の寸法調整を容易にするための予備加工の種類などに関し、発明の範囲内において、種々の応用、変形を加えることが可能である。
【産業上の利用可能性】
【００５０】
上述のように、本願発明によれば、食器洗い乾燥機とキッチンカウンターの隙間を、上下位置を任意に調節することが可能な化粧カバーにより確実に覆うことが可能になり、蒸気や高温多湿な排気が、キッチンカウンターの下面に達して結露したり、食器洗い乾燥機の天面とキッチンカウンターの下面との隙間に入り込んで内部で結露したりすることによるキッチンカウンターや内部設備の損傷などを抑制、防止することが可能になるとともに、食器洗い乾燥機とキッチンカウンターの隙間を見えなくして、美観を向上させることが可能になる。
したがって、本願発明は、キッチンカウンターの下側に設置して使用される食器洗い乾燥機に広く適用することが可能である。
【図面の簡単な説明】
【００５１】
【図１】本願発明の一実施例にかかる食器洗い乾燥機の構成を示す斜視図である。
【図２】本願発明の一実施例にかかる食器洗い乾燥機であって、洗浄槽を手前側にスライドさせている状態を示す図である。
【図３】本願発明の一実施例にかかる食器洗い乾燥機において用いられている化粧カバーの構成を示す図である。
【図４】(ａ)は本願発明の一実施例にかかる食器洗い乾燥機を設置する場合において化粧カバーをキッチンカウンターの下面に当接させる前の状態を示す図、(ｂ)は化粧カバーを上昇させてキッチンカウンターの下面に当接させた状態を示す図である。
【図５】(ａ)は本願発明の一実施例にかかる食器洗い乾燥機を設置する場合に、化粧カバーを本体ケースに取り付ける方法を説明する図、(ｂ)はその要部を示す拡大図である。
【図６】(ａ)，(ｂ)は本願発明の一実施例にかかる食器洗い乾燥機を設置する場合に、化粧カバーを本体ケースに取り付ける方法および高さを調節する方法を模式的に示す図である。
【図７】(ａ)，(ｂ)，(ｃ)は化粧カバーの庇部の幅を調節する方法を説明する図である。
【図８】(ａ)は化粧カバーの高さを調整する方法を示す正面図、(ｂ)は側面図である。
【図９】従来の食器洗い乾燥機を示す図である。
【図１０】従来の他の食器洗い乾燥機を示す図である。
【符号の説明】
【００５２】
１        本体ケース
２        洗浄槽
３        化粧カバー
３ａ      庇部を本体ケースの前方側に折り曲げた折り曲げ部
４        ドア
５        排気口
６        操作部
７        把手
１０      キッチンカウンター
１０ａ    キッチンカウンターの下面
１１      垂直プレート部
１２      庇部
１２ａ    庇部に形成された複数本の互いに平行な溝
１３      化粧カバー保持部の係合機構部
１４      化粧カバー保持部
１５      化粧カバーの係合部
１６      化粧カバーの係合部の凹凸部
１７      突起片
１７ａ    化粧カバー保持部の係合機構部との接合面
１８      凹部
１８ａ    化粧カバーの係合部との接合面
１９      化粧カバー保持部の係合機構部の凹凸部
２０      食器洗い乾燥機
２１      ナイフ
２７      突起片
２８      凹部
θ        垂直プレート部と庇部のなす角度
Ｇ        本体ケースとキッチンカウンターの隙間
Ｒ        化粧カバーの庇部の不要部分
【図１】
2006280552.tif 000003
【図２】
2006280552.tif 000004
【図３】
2006280552.tif 000005
【図４】
2006280552.tif 000006
【図５】
2006280552.tif 000007
【図６】
2006280552.tif 000008
【図７】
2006280552.tif 000009
【図８】
2006280552.tif 000010
【図９】
2006280552.tif 000011
【図１０】
2006280552.tif 000012